(57)【要約】【課題】入退室管理エリアへの共連れ入退室を高い確実性で防止する共連れ防止入退室管理システムを提供する。【解決手段】共連れ防止入退室管理システム１は、前室８から機器室９へ進入する際に本人照合を行ない本人か否かを確認し、第１扉７ａの開錠を判断する第１指紋照合ユニット４ａと、前室から外部エリアへ退室する際に本人照合を行ない本人か否かを確認し、第２扉７ｂの開錠を判断する第２指紋照合ユニット４ｂと、第５カメラ３ｅにより撮影された映像から共連れ入退室か否かを検知する共連れ検知センサー５と、共連れ検知センサー５により前室８内に共連れの入退室者２０を検知した場合には、第１指紋照合ユニット４ａ、及び第２指紋照合ユニット４ｂを共に操作禁止とし、警報を発報する入退室管理制御部１１と、を備える。【選択図】図１
2011253407.tif 000002
【特許請求の範囲】
【請求項１】
入退室管理エリアへの入退室を管理し、共連れによる入退室管理エリアへの入退室を防止する共連れ防止入退室管理システムにおいて、
入退室管理エリアは、第２の扉の開錠により入退室管理エリアへの進入及び入退室管理エリアからの退室が可能な前室に隣接し、前室は、第１の扉の開錠により前室への進入及び前室からの退室が可能な外部エリアに隣接するように構成され、
前室から外部エリアへ退室する際に本人照合を行ない本人か否かを確認し、第１の扉の開錠を判断する第１の本人照合識別装置と、
前室から入退室管理エリアへ進入する際に本人照合を行ない本人か否かを確認し、第２の扉の開錠を判断する第２の本人照合確認装置と、
前室内の天井に設けられ、カメラにより撮影された映像から共連れ入退室か否かを検知する共連れ検知センサーと、
共連れ検知センサーにより前室内に共連れの滞在者を検知した場合には、第１及び第２の本人照合確認装置を共に操作禁止とし、警報を発報する入退室管理制御部と、
を備えることを特徴とする共連れ防止入退室管理システム。
【請求項２】
請求項１に記載の共連れ防止入退室管理システムであって、
前室内の天井に設けられ、赤外線センサーにより前室内の滞在者を検知する滞在者検知センサーを備え、
入退室管理制御部は、共連れ検知センサーにより入退室した人数を把握させ、滞在者検知センサーにより滞在者の有無を検知させる、
ことを特徴とする共連れ防止入退室管理システム。
【請求項３】
請求項１又は２に記載の共連れ防止入退室管理システムであって、
入退室管理制御部は、滞在者検知センサーにより前室の滞在者を所定の時間間隔において連続して検知した場合には、警報を発報する、
ことを特徴とする共連れ防止入退室管理システム。
【請求項４】
請求項１乃至３のいずれか１に記載の共連れ防止入退室管理システムであって、
第１の扉の外部エリア側には、外部エリアから前室へ進入する際に本人照合を行ない本人か否かを確認し、第１の扉の開錠を判断する第１の本人認証確認装置を備え、
第２の扉の入退室管理エリア側には、入退室管理エリアから前室へ進入する際に本人照合を行ない本人か否かを確認し、第２の扉の開錠を判断する第２の本人認証確認装置を備え、
入退室管理制御部は、滞在者検知センサーが滞在者を検知すると、第１及び第２の本人認証確認装置を共に操作禁止とする、
ことを特徴とする共連れ防止入退室管理システム。
【請求項５】
請求項１乃至４のいずれか１に記載の共連れ防止入退室管理システムであって、
入退室者の第１及び第２の本人照合確認装置、又は第１及び第２の本人認証確認装置への操作により、当該入退室者がいずれのエリアに居るかを記録する入退室エリア記録部を備え、
入退室エリア記録部は、入退室者が、入退室エリア記録部に記録されているエリアではあり得ない操作を行った場合には、入退室管理制御部に対して異常であることを報知する、
ことを特徴とする共連れ防止入退室管理システム。
【請求項６】
請求項４又は５に記載の共連れ防止入退室管理システムであって、
入退室管理制御部は、第１の扉又は第２の扉が連続的に開錠されている場合には、第１及び第２の本人認証確認装置の操作禁止を解除する、
ことを特徴とする共連れ防止入退室管理システム。
【請求項７】
請求項１乃至６のいずれか１に記載の共連れ防止入退室管理システムであって、
第１及び第２の本人照合確認装置は、指紋により本人照合を行なう、
ことを特徴とする共連れ防止入退室管理システム。
【請求項８】
請求項１乃至７のいずれか１に記載の共連れ防止入退室管理システムであって、
第１及び第２の本人照合確認装置、及び第１及び第２の本人認証確認装置には、カメラが併設される、
ことを特徴とする共連れ防止入退室管理システム。
【発明の詳細な説明】
【技術分野】
【０００１】
本発明は、共連れ防止入退室管理システムに係り、特に、入退室管理エリアへの入退室を管理し、共連れによる入退室管理エリアへの入退室を防止する共連れ防止入退室管理システムに関する。
【背景技術】
【０００２】
入退室管理システムとは、機密性の高い室やフロアへの入退室者をＩＤカードによる認証、指紋などの生体認証による本人照合による確認を行なって管理するシステムである。この入退室管理システムで問題となるのが、いわゆる「共連れ入退室」により入退室する者である。これは、本人照合による確認を行っている者と一緒に本人照合による確認を行なわずに入退室してしまう者をいう。
【０００３】
この共連れ入退室を防止するために、様々な方式が提案されている。例えば、特許文献１には、建物内への不正侵入を防止し、特に、許可者と不許可者との同伴入室、連続入室を防止するアンチスルー機能を有するセキュリティシステムが開示されている。ここでは、前室のドアには、指紋識別ユニットがドアの入口側に設置され、このドアの照合による通過を記憶する通過履歴記憶手段が設けられ、次室のドアは前室のドアと同様の構成を有しており、加えて前扉本人照合確認手段が設けられている。前扉本人照合確認手段は、次室のドアに係わる通過要求者が前室のドアで本人照合を行っているか否かを、前室のドアの通過履歴記憶手段を参照して確認することが記載されている。
【先行技術文献】
【特許文献】
【０００４】
【特許文献１】特開２０００−３１５２９０号公報
【発明の概要】
【発明が解決しようとする課題】
【０００５】
セキュリティレベルの高い室やフロアの入退室において共連れを防止する仕組み或いは機能は、入退室管理システム自体では実現が難しく、センサーなどによる共連れ検知システムとの組み合わせが必要になる。
【０００６】
本願の目的は、かかる課題を解決し、入退室管理エリアへの共連れ入退室を高い確実性で防止する共連れ防止入退室管理システムを提供することである。
【課題を解決するための手段】
【０００７】
上記目的を達成するため、本発明に係る共連れ防止入退室管理システムは、入退室管理エリアへの入退室を管理し、共連れによる入退室管理エリアへの入退室を防止する共連れ防止入退室管理システムにおいて、入退室管理エリアは、第２の扉の開錠により入退室管理エリアへの進入及び入退室管理エリアからの退室が可能な前室に隣接し、前室は、第１の扉の開錠により前室への進入及び前室からの退室が可能な外部エリアに隣接するように構成され、前室から外部エリアへ退室する際に本人照合を行ない本人か否かを確認し、第１の扉の開錠を判断する第１の本人照合識別装置と、前室から入退室管理エリアへ進入する際に本人照合を行ない本人か否かを確認し、第２の扉の開錠を判断する第２の本人照合確認装置と、前室内の天井に設けられ、カメラにより撮影された映像から共連れ入退室か否かを検知する共連れ検知センサーと、共連れ検知センサーにより前室内に共連れの滞在者を検知した場合には、第１及び第２の本人照合確認装置を共に操作禁止とし、警報を発報する入退室管理制御部と、を備えることを特徴とする。
【０００８】
上記構成により、共連れ防止入退室管理システムは、入退室が管理される機密性の高い入退室管理エリアと、例えば、エレベータホールや廊下などの外部エリアとの間に前室を設け、天井に設けられたカメラが撮影した映像を解析する共連れ検知センサーにより共連れ入退室が検知されると、入退室管理制御部により第１の本人照合確認装置、及び第２の本人照合確認装置が共に操作禁止とされ、警報が発報される。すなわち、共連れ入退室が行われると入退室者は前室に閉じ込められ、入退室管理エリアはもちろんのこと外部エリアへも戻れなくなる。すなわち、「前室には必ず１人のみが滞在する」という規律が守られ、共連れ入退室を高い確実性で防止することができる。
【０００９】
また、共連れ防止入退室管理システムは、前室内の天井に設けられ、赤外線センサーにより前室内の滞在者を検知する滞在者検知センサーを備え、入退室管理制御部は、共連れ検知センサーにより入退室した人数を把握させ、滞在者検知センサーにより滞在者の有無を検知させることが好ましい。これにより、入退室した人数を把握する機能を有する共連れ検知センサーだけではなく、前室の滞在者が居るか居ないかを検知する滞在者検知センサーを備えることで、「前室には必ず１人のみが滞在する」という規律が守られて共連れ入退室をより高い確実性で防止することができる。
【００１０】
また、共連れ防止入退室管理システムは、入退室管理制御部が、滞在者検知センサーにより前室の滞在者を所定の時間間隔において連続して検知した場合には、警報を発報することが好ましい。これにより、例えば、前室の滞在者が倒れて動かなくなってしまった場合に対処することができる。また、前室の滞在者が前室内に荷物を置き忘れた場合でも，それを検知することができる。
【００１１】
また、共連れ防止入退室管理システムは、第１の扉の外部エリア側には、外部エリアから前室へ進入する際に本人照合を行ない本人か否かを確認し、第１の扉の開錠を判断する第１の本人認証確認装置を備え、第２の扉の入退室管理エリア側には、入退室管理エリアから前室へ進入する際に本人照合を行ない本人か否かを確認し、第２の扉の開錠を判断する第２の本人認証確認装置を備え、入退室管理制御部は、滞在者検知センサーが滞在者を検知すると、第１及び第２の本人認証確認装置を共に操作禁止とすることが好ましい。これにより、前室内に滞在者が存在する場合には、新たに入退室管理エリア及び外部エリアからの進入や退室を防止し、「前室には必ず１人のみが滞在する」という規律が守られ、共連れ入退室を高い確実性で防止することができる。
【００１２】
また、共連れ防止入退室管理システムは、入退室者の第１及び第２の本人照合確認装置、又は第１及び第２の本人認証確認装置への操作により、当該入退室者がいずれのエリアに居るかを記録する入退室エリア記録部を備え、入退室エリア記録部は、入退室者が、入退室エリア記録部に記録されているエリアではあり得ない操作を行った場合には、入退室管理制御部に対して異常であることを報知することが好ましい。これにより、入退室管理エリア或いは前室に入ったという記録がなければ不正通行とみなされ、共連れ入退室を高い確実性で防止することができる。
【００１３】
また、共連れ防止入退室管理システムは、入退室管理制御部が、第１の扉又は第２の扉が連続的に開錠されている場合には、第１及び第２の本人認証確認装置の操作禁止を解除することが好ましい。これにより、資材を入退室管理エリアに搬入する場合などに共連れを許容するモードに切り替えることができる。
【００１４】
また、共連れ防止入退室管理システムは、第１及び第２の本人照合確認装置が、指紋により本人照合を行なうことが好ましい。これにより、前室内では本人であることがより確実に照合できる指紋照合とすることで共連れ入退室を高い確実性で防止することができる。
【００１５】
さらに、共連れ防止入退室管理システムは、第１及び第２の本人照合確認装置、及び第１及び第２の本人認証確認装置には、カメラが併設されることが好ましい。これにより、入退室者や滞在者をカメラが撮影した画像に記録して証拠とすることができる。
【発明の効果】
【００１６】
以上のように、本発明に係る共連れ防止入退室管理システムによれば、入退室管理エリアへの共連れ入退室を高い確実性で防止する共連れ防止入退室管理システムを提供することができる。
【図面の簡単な説明】
【００１７】
【図１】本発明に係る共連れ防止入退室管理システムの１つの実施形態の概略構成を示す説明図である。
【図２】本発明に係る共連れ防止入退室管理システムの１つの実施形態の概略構成を示すブロック図である。
【図３】入退室管理制御部の一つの制御例を示す説明図である。
【図４】入退室エリア記録部の機能を示す説明図である。
【図５】入退室者がエレベータホールから機械室に進入する場合の共連れ防止入退室管理システムの管理方法を示すフローチャートである。
【発明を実施するための形態】
【００１８】
以下に、図面を用いて本発明に係る共連れ防止入退室管理システムの実施形態につき、詳細に説明する。
【００１９】
図１に、本発明に係る共連れ防止入退室管理システム１の１つの実施形態の概略構成を示す。本実施形態では、入退室管理エリアである機器室９と、外部エリアであるエレベータホール１０との間に前室８が設けられる。そして、エレベータホール１０からは第１扉７ａを通過して前室８に出入りし、前室８からは第２扉７ｂを通過して機器室９へ出入りする。本共連れ防止入退室管理システム１は、前室８を設けることで機器室８への入退室を管理し、共連れによる機器室８への入退室を防止する。すなわち、共連れ検知センサー５及び滞在者検知センサー６により前室８に進入した入退室者２０を検知し、共連れによる機器室９への入退室を防止するシステムである。
【００２０】
図２に、本発明に係る共連れ防止入退室管理システム１の１つの実施形態の概略構成をブロック図で示す。本共連れ防止入退室管理システム１は、第１カードリーダ２ａ、第２カードリーダ２ｂ、第１カメラ３ａ、第２カメラ３ｂ、第３カメラ３ｃ、第４カメラ３ｄ、第５カメラ３ｅ、第１指紋照合ユニット４ａ、第２指紋照合ユニット４ｂ、共連れ検知センサー５、滞在者検知センサー６、入退室管理制御部１１、第１扉施錠装置１２ａ、第２扉施錠装置１２ｂ、及び入退室エリア記録部１４から構成される。そして、入退室管理制御部１１は、防災管理センター１３へ警報を発報する。
【００２１】
図１に示すように、エレベータホール１０には、第１カードリーダ２ａが設けられ、第１カメラ３ａが併設される。前室８へ進入する入退室者２０ａは、第１カードリーダ２ａにカードを読み取らせて個人認証を行い、第１扉７ａの第１扉施錠装置１２ａを解錠させて前室８に入る。第１カメラ３ａは、第１カードリーダ２ａにカードを読み取らせる入退室者２０ａを撮影し、証拠として保存する。第２扉７ｂの機器室９側には、第２カードリーダ２ｂが設けられ、第４カメラ３ｄが併設される。また、機器室９から退室する入退室者２０ｃは、第２カードリーダ２ｂにカードを読み取らせて個人認証を行い、第２扉７ｂの第２扉施錠装置１２ｂを解錠させて前室８に入る。第４カメラ３ｄは、第２カードリーダ２ｂにカードを読み取らせる入退室者２０ｃを撮影し、証拠として保存する。
【００２２】
前室８には、第１指紋照合ユニット４ａが設けられ、第２カメラ３ｂが併設される。また、前室８には、第２指紋照合ユニット４ｂが設けられ、第３カメラ３ｃが併設される。前室８に進入した入退室者２０ｂは、第２指紋照合ユニット４ｂにおいて指紋照合を行い、第２扉７ｂの第２扉施錠装置１２ｂを解錠させて機器室９に入る。第３カメラ３ｃは、第２指紋照合ユニット４ｂに指紋照合をさせる入退室者２０ｂを撮影し、証拠として保存する。また、前室８から退室する入退室者２０ｄは、第１指紋照合ユニット４ａにおいて指紋照合を行い、第１扉７ａの第１扉施錠装置１２ａを解錠させてエレベータホール１０に出る。第２カメラ３ｂは、第１指紋照合ユニット４ａに指紋照合をさせる入退室者２０ｄを撮影し、証拠として保存する。
【００２３】
共連れ検知センサー５は、前室８内の天井に設けられ、第１扉７ａから前室８に進入する入退室者２０ａなどを第５カメラ３ｅにより撮影し、その映像を解析して共連れ入退室か否かを検知する。すなわち、入退室者２０ａを上部から撮影し、頭部、肩部などの映像から入退室した人数を把握する。滞在者検知センサー６は、前室８内の天井に設けられ、赤外線センサーにより前室８内の入退室者２０ｂを検知する。すなわち、赤外線の反射、或いは温度により前室８に滞在者が存在するか否かを検出する。このように、入退室管理制御部１１は、共連れ検知センサー５から入退室した人数を発信させ、滞在者検知センサー６から滞在者の有無を発信させる。
【００２４】
入退室管理制御部１１は、共連れ検知センサー５から前室８内に共連れで入退室した入退室者２０を検知した場合には、第１指紋照合ユニット４ａ、及び第２指紋照合ユニット４ｂを共に操作禁止とする。このように、共連れ検知センサー５から前室８内に共連れで入退室した入退室者２０を検知した場合には、入退室管理制御部１１により第１指紋照合ユニット４ａ、及び第２指紋照合ユニット４ｂが共に操作禁止となり、入退室者２０ａ及び共連れで入退室した入退室者２０は、前室８内から機器室９及びエレベータホール１０へ進入或いは退室することができなくなり、前室８に閉じ込められる。すなわち、「前室８には必ず１人のみが滞在する」という規律が守られ、共連れ入退室を高い確実性で防止することができる。なお、入退室者２０ａ及び共連れで入退室した入退室者２０は、前室８内に設けられた緊急通話用の電話１５により防災管理センター１３などの特定の部署に連絡可能である。
【００２５】
また、入退室管理制御部１１は、滞在者検知センサー６により前室８の入退室者２０ｂ，２０ｄを所定の時間間隔において連続して検知した場合には、防災管理センター１３に警報を発報する。これは、例えば、前室８内で入退室者２０が倒れているなどの異常事態には、滞在者検知センサー６が反射された赤外線により異常事態であることを検知して入退室管理制御部１１に報知する。入退室管理制御部１１は、この報知を受けて防災管理センター１３などの特定の部署に異常事態を発報する。
【００２６】
図３に、入退室管理制御部１１の他の制御例を示す。入退室管理制御部１１は、滞在者検知センサー６が入退室者２０を検知すると、第１カードリーダ２ａ及び第２カードリーダ２ｂを共に操作禁止とする。これは、前室８内に滞在者が存在する場合には、新たの前室８への進入を防止するためである。これにより、「前室８には必ず１人のみが滞在する」という規律が守られ、共連れ入退室を高い確実性で防止することができる。
【００２７】
図４に、入退室エリア記録部１４の機能を示す。入退室エリア記録部１４は、入退室者２０の第１カードリーダ２ａ，及び第２カードリーダ２ｂへの操作、或いは、入退室者２０の第１指紋照合ユニット４ａ及び第２指紋照合ユニット４ｂの操作により、当該入退室者２０が機器室９（エリアＡ）、前室８（エリアＢ）、或いはエレベータホール１０（エリアＣ）のうちのいずれのエリアに滞在しているかを記録する。そして、入退室エリア記録部１４は、入退室者２０が、入退室エリア記録部１４に記録されているエリアではあり得ないエリアで操作を行った場合には、入退室管理制御部１１に対して異常であることを報知する。これは、所謂「アンチパスバック」といわれる規律であり、必ず入ったという識別がなければ出られないという規律である。
【００２８】
入退室管理制御部１１は、第１扉７ａ又は第２扉７ｂが連続的に開錠されている場合には、第１カードリーダ２ａ及び第２カードリーダ２ｂの操作禁止を解除する。これは、入退室管理エリアである機器室９に、機器を搬入したり搬出したりする場合に、作業者などの出入りに対して本共連れ防止入退室管理システム１を例外的な運用とするためである。
【００２９】
図５に、本共連れ防止入退室管理システム１の管理方法をフローチャートで示す。このフローチャートは、入退室者２０がエレベータホール１０から機器室９に進入する場合のフローを示す。入退室者２０が機器室９からエレベータホール１０に退室する場合は、各機器、扉、エリアが異なるが、このフローチャート同様な構成となる。なお、このフローチャートでは、各ステップをＳ１〜Ｓ２８の番号で示す。
【００３０】
入退室者２０ａは、エレベータホール１０に滞在し、前室８を経由して機器室９に進入しようとしている。まず、前室８に滞在者が滞在しているか否かが滞在者検知センサー６により検知され（Ｓ１）、滞在者が滞在している場合には、第１カードリーダ２ａの操作が禁止される（Ｓ２）。これは、「前室８には必ず１人のみが滞在する」という規律を守るためである、入退室者２０ａは、この状態では滞在者が前室８から退室するまでは前室８には進入できない。滞在者が前室８から退室すると、第１カードリーダ２ａの操作が許可になり（Ｓ３）、入退室者２０ａにより第１カードリーダ２ａの操作が行なわれる（Ｓ４）。
【００３１】
次に、入退室者２０ａが第１カードリーダ２ａを操作すると、入退室エリア記録部１４の記録からエレベータホール１０（エリアＡ）に滞在していることになっているかが確認される（Ｓ５）。これは、所謂「アンチパスバック」といわれる規律である。入退室エリア記録部１４の記録上でエレベータホール１０（エリアＡ）に滞在していないことになっているとエラー処理がなされる（Ｓ６）。一方、入退室エリア記録部１４の記録上でもエレベータホール１０（エリアＡ）に滞在していることになっていれば、第１カードリーダ２ａの操作がＯＫであると判定される（Ｓ７）。そして、第１扉７ａが一時的に解除され（Ｓ８）、第１扉７ａが開かれ（Ｓ９）、第２扉７ｂの解錠が不可となる（Ｓ１０）。これらの操作により、入退室者２０ａは前室８へと進入し（Ｓ１１）、第１扉７ａが閉まる（Ｓ１２）。
【００３２】
このとき、前室８に滞在者が滞在しているかが滞在者検知センサー６により検知され（Ｓ１３）、滞在者が居なければＳ３に戻り、滞在者が居る場合には、第１カードリーダ２ａが操作禁止となる（Ｓ１４）。これは、「前室８には必ず１人のみが滞在する」という規律を守るためである、さらに、滞在者が居る場合であって、その滞在者が５分以上滞在している場合には（Ｓ１５ａ）、長期間警報が発報される（Ｓ１５ｂ）。
【００３３】
Ｓ１２に戻り、前室８内に滞在者が複数滞在しているかが共連れ検知センサー５により検知され（Ｓ１６）、複数の滞在者が存在している場合には、第１指紋照合ユニット４ａ及び第２指紋照合ユニット４ｂの操作が禁止される（Ｓ１７）。これにより、共連れ入退室者を前室８に閉じ込める。そして、防災管理センターに警報が発報告される（Ｓ１８）。
【００３４】
前室８内に滞在者が複数滞在していない場合には、第２指紋照合ユニット４ｂの操作が許可される（Ｓ１９）。入退室者２０ｂによりこの操作が行われると（Ｓ２０）、指紋の照合が行なわれる（Ｓ２１）。ここで、入退室者２０ｂが入退室エリア記録部１４の記録から前室８（エリアＢ）に滞在していることになっているかが確認される（Ｓ２２）。これは、所謂「アンチパスバック」といわれる規律である。入退室エリア記録部１４の記録上で前室８（エリアＢ）に滞在していないことになっているとエラー処理がなされる（Ｓ２３）。一方、入退室エリア記録部１４の記録上でも前室８（エリアＢ）に滞在していることになっていれば、第２扉７ｂが一時的に開錠され（Ｓ２４）、第１扉７ａの開錠が不可となる（Ｓ２５）。そして、第２扉７ｂは開かれ（Ｓ２６）、入退室者２０ｂは機器室９に入室し（Ｓ２７）、第２扉７ｂが閉まる（Ｓ２８）。そして、Ｓ１に戻り、以上のフローが繰り返される。
【符号の説明】
【００３５】
１  共連れ防止入退室管理システム、２ａ  第１カードリーダ、２ｂ  第２カードリーダ、３ａ  第１カメラ、３ｂ  第２カメラ、３ｃ  第３カメラ、３ｄ  第４カメラ、３ｅ  第５カメラ、４ａ  第１指紋照合ユニット、４ｂ  第２指紋照合ユニット、５  共連れ検知センサー、６  滞在者検知センサー、７ａ  第１扉、７ｂ  第２扉、８  前室、９  機器室（入退室管理エリア）、１０  エレベータホール（外部エリア）、１１  入退室管理制御部、１２ａ  第１扉施錠装置、１２ｂ  第２扉施錠装置、１３  防災管理センター、１４  入退室エリア記録部、１５  緊急通話用電話、２０，２０ａ，２０ｂ，２０ｃ，２０ｄ  入退室者。
【図１】
2011253407.tif 000003
【図２】
2011253407.tif 000004
【図３】
2011253407.tif 000005
【図４】
2011253407.tif 000006
【図５】
2011253407.tif 000007